(57)【特許請求の範囲】
【請求項１】
パチンコ台を取り付ける台枠の傾斜を計測する傾斜計測機器もしくは、傾斜計測機器の上下高さより長尺とした基準棹を、台枠に装着する装着器具であり、
一方、基準棹は傾斜計測機器と一体で形成するか、もしくは別体として傾斜計測機器に止着してなり、
また、傾斜測定機器もしくは基準棹が、夫々に備えられた傾斜計測の基準面を、台枠の縦桟の後端面に当接して、台枠の傾斜を計測するにあたり、
前記装着器具は、
傾斜計測機器もしくは基準棹に止着し、支持部と支承部とを相対して設けた取り付け部材と、
一方、取り付け部材の支持部は、台枠の縦桟の外側面に係合し、他方、支承部は、台枠の縦桟の内側面に相対してなり、
また、支承部の外側方向に掛止部を形成するとともに、支承部の軸穴に挿通して先端に押圧板を固着した支軸と、
台枠の縦桟の内側面に相対して配置された前記押圧板と、
押圧板と支承板との相対する間隙内の支軸に装着して、押圧板を台枠の縦桟の内側面に弾機的に押圧する弾機部材と、
よりなり、
前記押圧板と取り付け部材の支持部とで台枠の縦桟を弾機的に押圧挟持して、傾斜計測機器もしくは基準棹を台枠に加圧装着することを特徴とする、パチンコ台の傾斜計測機器の装着器具。
【請求項２】
パチンコ台を取り付ける台枠の傾斜を計測する傾斜計測機器もしくは、傾斜計測機器の上下高さより長尺とした基準棹を、台枠に装着する装着器具であり、
一方、基準棹は傾斜計測機器と一体で形成するか、もしくは別体として傾斜計測機器に止着してなり、
また、傾斜計測機器もしくは基準棹が、夫々に形成された傾斜計測の基準面を、台枠の縦桟の後端面に当接して、台枠の傾斜を計測するにあたり、
前記装着器具は、
傾斜計測機器もしくは基準棹に止着され、支持部と支承部および枢支部とを備えた取り付け部材と、
一方、取り付け部材の支持部は、台枠の縦桟の外側面に係合し、支承部は、傾斜計測機器もしくは基準棹の後端部後方に設けられ、また、枢支部は、傾斜計測機器もしくは基準棹の後端部に相対してなり、
また、中央個所に設けた回転支点部の前方に押圧部を形成し、他方、回転支点部の後方に把持部を形成した挟持板と、
一方、挟持板の押圧部が台枠の縦桟を介して取り付け部材の支持部と、他方、把持部が取り付け部材の支承部と夫々相対するようにして、挟持板の回転支点部を取り付け板の枢支部と係合し、
また、回転支点部と枢支部の双方に穿設した軸穴に挿入して、挟持板を回転自在に軸支した係止ピンと、
取り付け部材の支承部と挟持板の把持部との相対する間隙内に設けられ、取り付け部材の支承部と挟持板の把持部とを相対する外側方向に弾機的に押圧する弾機部材と、
よりなり、
前記取り付け部材の支承部と挟持板の把持部とを、弾機部材の弾発力に抗して相対する内方向に挟持押圧して、他方、挟持板の押圧部が相対する台枠の縦桟の外方向に開扉した状態で、台枠の縦桟の後端面に、傾斜計測機器もしくは基準棹の傾斜計測の基準面を当接し、
一方、支承部と把持部との前記の挟持押圧を開放することで、挟持板の押圧部が相対する台枠の縦桟の内側面を弾機的に押圧して、取り付け部材の支持板と挟持板の押圧部とで、台枠の縦桟を弾機的に押圧挟持して、傾斜計測機器もしくは基準棹を台枠に加圧装着することを特徴とする、パチンコ台の傾斜計測機器の装着器具。
【発明の詳細な説明】
【技術分野】
【０００１】  この発明はパチンコ台の台枠の傾斜を計測する、傾斜計測機器の装着器具に関する。
【背景技術】
【０００２】  パチンコ店内に設置されるパチンコ台は、後方へ１°以内の範囲で傾斜した状態で設置するように規定されている。
一方、当業界では前述の傾斜の単位を分厘で表示する慣行があり、パチンコ台の高さ８１０ミリに対して、この上端が、垂線に対して水平後方に移動した距離を分厘で表示している。
例えば、パチンコ台の傾斜が４分５厘で設定されているとした場合、この傾斜角度は垂線に対して０．９５度であり、また、この設定の間隔は一般的には５厘単位（０．１°単位）としている。
また、パチンコ台の傾斜とパチンコ台の性能とは関係性が高く、傾斜の度合いによって、パチンコ玉と盤面の釘や役物との相対関係が変わり、パチンコ玉の軌道が変化することで入賞確立等に影響を及ぼすので、パチンコ台の設置においては上述の微妙な傾斜の設定が重要な課題となる。【０００３】  パチンコ台をパチンコ島に取付けるには、先ず、パチンコ島に台枠を取り付け、この台枠に、パチンコ台が開閉自在として装着される。
従って、パチンコ台を装着する台枠が、所定の傾斜でパチンコ島に取り付けられていれば、この台枠に装着したパチンコ台も同様な傾斜で設置されることになる。
換言すると、パチンコ台の傾きを設定するには、当該台枠を、設定した傾きでパチンコ島に取り付けることで、パチンコ台の傾斜が設定できる。【０００４】  また、台枠を設定した傾きとしてパチンコ島に取り付けるには、台枠の傾斜を確認し、且つ傾斜を調整してパチンコ島に取り付けることになる。
一方、台枠は、パチンコ台の縦横の外形寸法と略同一寸法の方形の枠体であり、水平な上枠と下枠と、この上下枠の左右端を接続した縦桟とで構成されているが、この傾きを確認するには、台枠の左右の縦桟に傾斜計測機器を手で当接して行なわれる。【０００５】  前述のようにして、傾斜計測機器を用いて台枠の傾きを確認する関連の特許文献を以下に示した。【０００６】  特許文献１は、パチンコ島に設置した傾き調整装置に、パチンコ台を装着する台枠（取付け枠）を取り付け、パチンコ台もしくはパチンコ台の台枠に、傾斜計測機器（傾き測定表示装置）を当接、もしくは仮止めして、パチンコ台の傾きを確認しながら傾き調整装置を操作して、パチンコ台の傾きを設定するようにしている。【０００７】  特許文献２は、パチンコ島（島設備）に、パチンコ台（遊技機）の傾きを調節する駆動装置を取り付け、また、パチンコ台の台枠（外枠）には、角度を検知する傾斜計測機器（角度検知手段）を設けて、パチンコ台（遊技機）の角度が設定した角度から逸脱すると、自動的に設定角度に補正されるようにして、パチンコ台（遊技機）が常時設定した角度に維持するようにしている。
【先行技術文献】
【特許文献】
【０００８】
【特許文献１】特開２００５−３１２８５２号
【特許文献２】特開２００８−２８４２８０号
【発明の概要】
【発明が解決しようとする課題】
【０００９】  パチンコ台の台枠の傾斜の計測は、傾斜計測機器の傾斜計測の基準面を台枠の縦桟に当接して行なわれる。
一方、台枠の縦桟の前端面は、図４のように遊技枠の背面と当接し、外測面は図２のようにパチンコ島の台間柱と隣接し、さらに、内側面は図３のようにパチンコ台の筐体が接近しているので、台枠は後端面以外には傾斜計測機器を当接することが限定される。
また、台枠の傾きを計測するには、傾斜計測機器を手で持って傾斜計測機器の傾斜計測の基準面を台枠の縦桟の後端面に当接して行なわれるが、この縦桟の上下方向に均等に当接されなければ正確に傾斜が計測されず、手ブレなどでも計測誤差が生じるので、これらの問題および計測作業の効率等を考慮すると、傾斜計測機器で台枠の傾斜を計測するには、専用の装着器具を用いて傾斜計測機器を台枠の縦桟に装着すれば測定誤差が少なく、多数の台数のパチンコ台の傾斜を効率よく一定の精度で計測することができる。
而して、上記の装着器具は傾斜計測機器を装着するにあたり、台枠の縦桟の前端および内外面は前述のように装着スペースがないためこれらを考慮した構成とする必要がある。
一方、多数のパチンコ台を一定の傾斜に設定するには、同一の条件で台枠の傾斜が計測できるようにする必要があるが、傾斜計測機器を手で当てて計測する手段では当接の程度如何で計測値が変わるので、現実には多数のパチンコ台を一定の傾斜に設定することは難しい。
また、縦桟の後端の上下方向の測定距離を長くすれば測定精度は向上する。
さらに、傾斜計測機器を装着器具で縦桟に装着して前述の問題点を解決するにしても、台枠に傾斜計測機器が簡易に着脱できなければ、多数の台数を前提とする傾斜計測の作業には適さない。【００１０】  特許文献１は、パチンコ台の傾斜の設定において傾斜計測機器（傾き測定表示装置）を、台枠もしくはパチンコ台に、手で当てるかもしくは仮止めして傾斜の計測がおこなわれるが、前者の計測手段では、台枠の縦桟に対して一定の力および、上下均等に当接しないと計測誤差が生じやすく、また、台枠はパチンコ台の機種によっては、寸法形状が相違するように対象が多様であり、当該仮止めするにしても装着程度が一定とならないために計測誤差が生じ、また、台枠自体に装着できない場合もあった。
また、台枠の縦桟に対する上下の計測距離が短いと、台枠の表面粗度や曲がり等の影響で計測誤差が生じやすいので、計測精度を平準化するには台枠の縦桟において長い距離で計測する必要があった。【００１１】  特許文献２は、パチンコ島（島設備）に設置されたパチンコ台（遊技機）の取り付け角度が、設定した角度から逸脱すると、傾斜計測機器（角度検知装置）および駆動装置によって自動的に設定角度に補正するようにして、人為的な操作を不要とし、また、上記の傾斜計測機器（角度検知装置）は「台枠（外枠）の裏面に取り付けられる」のみの記載のように、特に傾斜計測機器は装着器具を用いて装着するものではない。【００１２】  この発明のパチンコ台の傾斜計測機器の装着器具は、上記に鑑みてなされたもので、上記の従来問題点の解決を目的としている。
即ち、台枠の縦桟の傾斜を傾斜計測機器で計測するにあたり、傾斜計測機器に装着器具を止着して、傾斜計測機器を装着器具で台枠に装着するようにし、台枠の傾斜の計測が一定の条件でおこなえるようにして、計測の誤差を解消することを第一の目的としている。
また、当該装着器具を使用して台枠の傾斜を計測するにあたり、台枠の縦桟の後端面に対して、傾斜計測機器の傾斜計測の基準面が一定の押圧力で加圧当接するようにして、計測の精度を向上することを第２の目的としている。
また、傾斜計測機器の傾斜計測の基準面が、縦桟の後端面に対して上下方向の長い距離で加圧当接するようにして、縦桟の表面の粗度や曲がりなどの影響による計測の誤差を解消することを第３の目的としている。
また、この装着器具は台枠との着脱が簡易に行なえる構成として、台枠の取替えにともなう傾斜計測機器の取り外し作業が効率よく行なえるようにすることを目的としている。
【課題を解決するための手段】
【００１３】  前記課題を解決するため、この発明のパチンコ台の傾斜計測機器の装着器具は、パチンコ台を取り付ける台枠の傾斜を計測する傾斜計測機器もしくは、傾斜計測機器の上下高さより長尺とした基準棹を、台枠に装着する装着器具であり、一方、基準棹は傾斜計測機器と一体で形成するか、もしくは別体として傾斜計測機器に止着してなり、また、傾斜計側機器もしくは基準棹が、夫々に備えられた傾斜計測の基準面を、台枠の縦桟の後端面に当接して、台枠の傾斜を計測するにあたり、前記装着器具は、傾斜計測器機器もしくは基準棹に止着して、台枠の縦桟の外側面に係合する係止部材と、台枠の縦桟の内側面に相対して、該縦桟の内側面を弾機的に押圧する弾機部材と、よりなり、前記係止部材と弾機部材とで、台枠の縦桟を弾機的に押圧挟持して、傾斜計測器機器もしくは基準棹を台枠に加圧装着するようにした。【００１４】  また、パチンコ台を取り付ける台枠の傾斜を計測する傾斜計測機器もしくは、傾斜計測機器の上下高さより長尺とした基準棹を、台枠に装着する装着器具であり、一方、基準棹は傾斜計測機器と一体で形成するか、もしくは別体として傾斜計測機器に止着してなり、また、傾斜測定機器もしくは基準棹が、夫々に備えられた傾斜計測の基準面を、台枠の縦桟の後端面に当接して、台枠の傾斜を計測するにあたり、前記装着器具は、傾斜計測機器もしくは基準棹に止着し、支持部と支承部とを相対して設けた取り付け部材と、一方、取り付け部材の支持部は、台枠の縦桟の外側面に係合し、他方、支承部は、台枠の縦桟の内側面に相対してなり、また、支承部の外側方向に掛止部を形成するとともに、支承部の軸穴に挿通して先端に押圧板を固着した支軸と、台枠の縦桟の内側面に相対して配置された前記押圧板と、押圧板と支承板との相対する間隙内の支軸に装着して、押圧板を台枠の縦桟の内側面に弾機的に押圧する弾機部材と、よりなり、前記押圧板と取り付け部材の支持部とで台枠の縦桟を弾機的に押圧挟持して、傾斜計測機器もしくは基準棹を台枠に加圧装着するようにした。【００１５】  また、パチンコ台を取り付ける台枠の傾斜を計測する傾斜計測機器もしくは、傾斜計測機器の上下高さより長尺とした基準棹を、台枠に装着する装着器具であり、一方、基準棹は傾斜計測機器と一体で形成するか、もしくは別体として傾斜計測機器に止着してなり、また、傾斜計測機器もしくは基準棹が、夫々に形成された傾斜計測の基準面を、台枠の縦桟の後端面に当接して、台枠の傾斜を計測するにあたり、前記装着器具は、傾斜計測機器もしくは基準棹に止着され、支持部と支承部および枢支部とを備えた取り付け部材と、一方、取り付け部材の支持部は、台枠の縦桟の外側面に係合し、支承部は、傾斜計測機器もしくは基準棹の後端部後方に設けられ、また、枢支部は、傾斜計測機器もしくは基準棹の後端部に相対してなり、また、中央個所に設けた回転支点部の前方に押圧部を形成し、他方、回転支点部の後方に把持部を形成した挟持板と、一方、挟持板の押圧部が台枠の縦桟を介して取り付け部材の支持部と、他方、把持部が取り付け部材の支承部と夫々相対するようにして、挟持板の回転支点部を取り付け板の枢支部と係合し、また、回転支点部と枢支部の双方に穿設した軸穴に挿入して、挟持板を回転自在に軸支した係止ピンと、取り付け部材の支承部と挟持板の把持部との相対する間隙内に設けられ、取り付け部材の支承部と挟持板の把持部とを相対する外側方向に弾機的に押圧する弾機部材と、よりなり、前記取り付け部材の支承部と挟持板の把持部とを、弾機部材の弾発力に抗して相対する内方向に挟持押圧して、他方、挟持板の押圧部が相対する台枠の縦桟の外方向に開扉した状態で、台枠の縦桟の後端面に、傾斜計測機器もしくは基準棹の傾斜計測の基準面を当接し、一方、支承部と把持部との前記の挟持押圧を開放することで、挟持板の押圧部が相対する台枠の縦桟の内側面を弾機的に押圧して、取り付け部材の支持板と挟持板の押圧部とで、台枠の縦桟を弾機的に押圧挟持して、傾斜計測機器もしくは基準棹を台枠に加圧装着するようにした。【００１６】  また、パチンコ台を取り付ける台枠の傾斜を計測する傾斜計測機器もしくは、傾斜計測機器の上下高さより長尺とした基準棹を、台枠に装着する装着器具であり、一方、基準棹は傾斜計測機器と一体で形成するか、もしくは別体として傾斜計測機器に止着してなり、また、傾斜計測機器もしくは基準棹が、夫々に形成された傾斜計測の基準面を、台枠の縦桟の後端面に当接して、台枠の傾斜を計測するにあたり、前記装着器具は、傾斜計測機器もしくは基準棹と、台枠の縦桟とを囲繞するバンドと、バンドの両端部に設けられ、該該両端部を開放自在に接続するジョイント具と、よりなり、傾斜計測機器もしくは基準棹と、台枠の縦桟とを前記バンドで囲繞してジョイント具で緊締連結することで傾斜計測機器もしくは基準棹を台枠の縦桟に加圧装着するようにした。【００１７】  また、前記バンドは、ゴムまたは、布や合成樹脂製等の伸縮性もしくは非伸縮性の帯状もしくは紐状とした。【００１８】  また、前記ジョイント具は、バンドの一端に設けられた受け部と、他方、バンドの他端に設けられ、弾機機構を備えたターンバックルと、よりなり、前記受け部をターンバックルで弾機的に施錠して緊締連結するとともに、ターンバックルの施錠を外すことで連結が解除されるようにした。【００１９】  また、前記ジョイント具は、バンドの一端に設けられ、掛止部を備えた受け部と、他方、バンドの他端に設けられ、掛止爪を備えた差込み部と、よりなり、受け部に差込み部を差し込み、当該差込み部の掛止爪が受け部の掛止部に掛止めされることで、受け部と差込み部とを緊締連結するとともに、掛止爪と掛止部との掛止めを外すことで連結が解除されるようにした。【００２０】  また、前記装着器具は、傾斜計測機器の上下高さより長尺とした基準棹における、傾斜計測機器の上下方向の２箇所を、台枠の縦桟に装着することを特徴とするようにした。
【発明の効果】
【００２１】  この発明のパチンコ台の傾斜計測機器の装着器具は、傾斜計測機器もしくは傾斜計測機器を止着した基準棹で台枠の傾斜を計測するにあたって、傾斜計測機器もしくは基準棹の傾斜計測の規準面が台枠の縦桟に加圧的に当接するので、当該規準面が台枠の縦桟の後端面に上下偏りなく接触して、台枠の傾斜が高い精度で計測できる。
また、傾斜計測機器もしくは基準棹の縦桟への装着において、前記基準面が縦桟の後端面を弾機的に、且つ一定の力で押圧して装着するようにしたので、多数のパチンコ台を同一の計測条件で計測することができる。
また、台枠の縦桟の周辺は、前述のように傾斜計測機器もしくは基準棹の設置スペースが限定されているが、一方、当該装着器具は同様な制限においても傾斜計測機器もしくは基準棹を台枠に装着することができる。
また、この装着器具は、台枠の取替え等が生じた場合において、傾斜計測機器もしくは基準棹を台枠から簡易に着脱できるので、台枠の取替え作業に支障をきたすことはない。
また、傾斜計測機器の上下高さより長尺として基準棹を止着もしくは一体で形成したので、台枠の縦桟の後端面の上下の長い距離を対象として傾斜を計測でき、縦桟の後端面の表面の粗度や、曲がり等の計測誤差の要因があったとしても、これらが平準化されて計測誤差を少なくできる。
【図面の簡単な説明】
【００２２】
【図１】パチンコ台が設置された、パチンコ島の正面図。
【図２】パチンコ台の台枠の取り付け状態を示す、パチンコ島の正断面図。
【図３】上記図２のＡ−Ａ線に沿う、パチンコ島の断面図。
【図４】パチンコ台の扉枠と、遊技枠および台枠の分解斜視図。
【図５】傾斜計測機器のブロック図を示し、傾斜センサユニットのみを台枠に装着する実施例の説明図。
【図６】傾斜計測機器のブロック図を示し、傾斜計測ユニットを台枠に装着する実施例の説明図。
【図７】傾斜計測機器を台枠に装着した、装着器具の実施例を示す台枠の縦桟の側面図。
【図８】上記図７のＢ−Ｂ線に沿う平断面図。
【図９】上記図８のＣ−Ｃ線に沿う縦断面図。
【図１０】上記図８の分解斜視図。
【図１１】基準棹を台枠に装着した、装着器具の実施例を示す台枠の側面図。
【図１２】傾斜計測機器を台枠に装着した、装着器具の他の実施例を示す台枠の側面図。
【図１３】上記図１２のＤ−Ｄ線に沿う平断面図。
【図１４】基準棹を台枠に装着した、装着器具の他の実施例を示す台枠の側面図。
【図１５】基準棹を台枠に装着した、装着器具の他の実施例を示す台枠の側面図。
【図１６】上記図１５のＥ−Ｅ線に沿う平断面図。
【図１７】上記図１６の分解斜視図。
【図１８】上記図１６の装着器具の他の実施例図
【図１９】傾斜計測機器を台枠に装着した、装着器具の他の実施例を示す台枠の側面図。
【図２０】上記図１９のＦ−Ｆ線に沿う平断面図。
【図２１】上記図２０の作用状態図。
【図２２】傾斜計測機器を台枠に装着した、装着器具の他の実施例を示す台枠の側面図。
【図２３】基準棹を台枠に装着した、装着器具の他の実施例図。
【図２４】上記図２３の作用状態図。
【図２５】上記図２３のＧ−Ｇ線に沿う平断面図。
【発明を実施するための形態】
【００２３】  この発明は、パチンコ台の傾斜計測機器の装着器具に関し、以下、図１〜図２５を参照し、この実施形態を通じて説明する。
図１は、パチンコ台１が設置されたパチンコ島２の正面図を示し、パチンコ島２は、天板３と下板４および台間柱５とで構成され、パチンコ台１は、この区画６内に設置される。
図２は、図１でパチンコ台１を取り外したパチンコ島２の正面図を示し、前記区画６内には台枠１０が配置されてパチンコ島２に取り付けられ、この台枠１０の前側にはパチンコ台１が開扉自在に取り付けられている。
台枠１０は、上枠７と下枠８および左右の縦桟９とで構成した枠形状をなし、上枠７は、上部取り付け手段１１で天板３に取り付けられ、他方、下枠８は、下部取り付け手段１２で下板４に、上枠と同様に夫々左右一対で取り付けられている。
【００２４】  図３は、前記図２のＡ−Ａ線に沿う縦断面図を示し、台枠１０の上枠７は、上部取り付け手段１１に止着され、他方、下枠８は下部取り付け手段１２でパチンコ島２の下板４に止着されている。
図３および図４で示したように台枠１０の前面には、ガラス枠１３を開扉自在に取り付け、且つパチンコ台１を装着した遊技枠１４が、同様に開扉自在に取り付けられている。
また、遊技枠１４は台枠１０側に閉じた状態で、台枠１０の前端面１０ａに後端部１５が当接して台枠１０に施錠される。
台枠１０は前述のように前面に遊技枠１４を装着しているので、台枠１０の傾きとパチンコ台１の傾きは略同様であり、一方、パチンコ台１を一定の傾きに設定するには、台枠１０の傾きを計測して、当該台枠１０の傾斜を上部取り付け手段１１で操作調整して台枠１０の傾斜を設定することで、パチンコ台１の傾斜を設定することができる。
また、台枠１０の傾きを計測するには、台枠１０の縦桟９の後端面１６に傾斜計測機器１７を当てて計測するが、この計測にあたり傾斜計測機器１７を、この発明の装着器具１８によって台枠１０に装着する。
一方、前記傾斜計測機器１７とは、傾斜センサユニット２０の単体、もしくは傾斜センサ回路基板２６を備えた傾斜計測ユニット２２等の計測手段を示している。
図３および図５は、傾斜計測機器１７が傾斜センサユニット２０の単体の場合を例示し、また、図６は傾斜センサ回路基板２６を備えた傾斜計測ユニット２２を例示し、夫々の傾斜計測の基準面１９を台枠１０の縦桟９の後端面１６に当接して、装着器具１８で縦桟９に装着して台枠１０の傾斜を計測する。
図３は、傾斜センサ回路基板２６を内部に結線した傾斜センサユニット２０を、縦桟９に装着した実施例を示し、この傾斜センサユニット２０に、コネクター２３、２３およびコード２４を介して傾斜表示ユニット２５を接続して台枠１０の傾斜を計測する。
上記の傾斜表示ユニット２５は、インターフェイス２７とマイクロコントローラ２８よりなる制御回路２９と、傾斜を分厘単位で表示するディスプレイ３０および電源回路３１とで構成している。
一方、図６で示した傾斜計測ユニット２２は、上記傾斜センサユニット２０と傾斜表示ユニット２５とを一体としている。
【００２５】  図７乃至、図１１は、前述の傾斜計測機器１７の装着器具１８を例示し、Ｌ型に曲折した板状の係止部材３３と、同じくＬ型に曲折した板バネ等の弾機部材３４とで構成している。
係止部材３３は、Ｌ型の一方を支持部３５とし、他方を取り付け部３６とするとともに、傾斜計測機器１７の外側面３７に支持部３５を、他方、傾斜計測機器１７の後端部３８に取り付け部３６を夫々係合して、支持部３５に穿設した止着穴３９を介してネジ４０で傾斜計測機器１７の外側面３７に取り付けられている。
弾機部材３４は、Ｌ型の一方を取り付け部４１とし、他方を内側に湾曲して押圧部４２とするとともに、前記係止部材３３の取り付け部３６の外側に同じく取り付け部４１を配置するとともに、係止部材３３の取り付け部３６に穿設した係止穴４３と相対して長穴４４を穿設し、この長穴４４および係止部材３３の係止穴４３を介してネジ４５で傾斜計測機器１７の後端部３８に止着して、他方、弾機部材３４の押圧部４２を係止部材３３の支持部３５と相対している。
また、４６は緩み止めワッシャーを示し、一方、ネジ４５は手で回せる蝶ネジを例示している。
台枠１０の縦桟９の傾斜を計測するには、前記ネジ４５を回して弾機部材３４の止着を緩め、傾斜計測機器１７の傾斜計測の基準面１９を台枠１０の縦桟９の後端面１６に当接し、次いで、弾機部材３４の押圧部４２を長穴４４を介して縦桟９の内側面５７に移動させ、当該押圧部４２が縦桟９の内側面５７を弾機的に押圧した状態で、ネジ４５を再度締め付けて弾機部材３４を傾斜計測機器１７に止着する。
上記バネ部材３４の弾機作用によって、傾斜計測機器１７は傾斜の基準面１９が台枠１０の縦桟９の後端面１６に弾機的に加圧した状態で台枠１０に装着される。
一方、係止部材３３の支持部３５と、弾機部材３４の押圧部４２との間隔を、予め、台枠１０の縦桟９の巾より狭めとして傾斜計測機器１７に弾機部材３４を止着することで、傾斜計測機器１７を台枠１０の縦桟９に装着するにあたり、弾機部材３４の押圧部４２が外側に弾機的に押し広げられて台枠１０の縦桟９の内側面５７を押圧するので、縦桟９は係止部材３３の支持部３５と、弾機部材３４の押圧部４２とで弾機的に挟持され、一方、傾斜計測機器１７は、傾斜の基準面１９を縦桟９の後端面１６に加圧当接して台枠１０に堅固に装着される。
また、台枠１０の縦桟９の巾が図８の鎖線で示したように基準巾より狭い場合は、前記同様にしてネジ４５の止着を緩め、バネ部材３４の押圧部４２を長穴４４を介して縦桟９の内側面５７方向に移動させ、押圧部４２が縦桟９の内側面を弾機的に押圧する状態で、ネジ４５を締めて弾機部材３４を傾斜計測機器１７に止着して、上記同様にして傾斜計測機器１７を台枠１０に装着する。
一方、台枠１０の巾が統一規格で略同一としている場合は、係止部材３３の支持部３５と弾機部材３４の押圧部４２との間隔を、弾機部材３４の弾機作用で台枠１０の縦桟９を堅固に装着できるような巾、即ち、縦桟９の巾より多少狭い間隔として、係止部材３３と弾機部材３４とを溶接等で固着して一体とするか、もしくは、曲折形成、または合成樹脂等の射出成型によって一体で形成しても良い。
【００２６】  図１１は、装着器具１８の使用の上で、台枠１０の傾斜の計測精度の向上を目的とした実施例を示している。
傾斜計測機器１７の傾斜計測の基準面１９には、傾斜計測機器１７の高さより上下方向に長尺とした基準棹４７を係合し、当該基準棹４７をこのネジ穴４８を介してネジ４９で傾斜計測機器１７に止着する。
上記において、傾斜計測機器１７の傾斜計測の規準面１９と基準棹４７との前面を平行とすることで、基準棹４７の前面は傾斜計測の基準面１９となる。
一方、上記基準棹４７を台枠１０の縦桟９に装着するには、基準棹４７における傾斜計測機器１７の上下方向の２個所に、前記同様にして装着器具１８を止着し、当該装着器具１８によって基準棹４７を台枠１０に取り付ける。
上記において、基準棹４７は傾斜計測の基準面１９が縦桟９の後端面１６に弾機的に加圧当接されて台枠１０に装着され、前記同様にして傾斜計測機器１７で台枠１０の傾斜が計測できる。
また、図１１の鎖線で示したように、基準棹４７を止着した傾斜計測機器１７自体に、前記同様にして装着器具１８を取り付け、また、同様にして台枠１０に装着することもできる。
図１１は、傾斜計測機器１７と基準棹４７を別体として例示したが、傾斜計測機器１７の上下個所を上下に延長して、基準棹４７と傾斜計測機器１７とを一体で構成し、当該傾斜計測機器１７に前記同様にして装着器具１８を止着して、当該傾斜計測機器１７を台枠１０に装着してもよい。
上記のように台枠１０の傾斜の計測を基準棹４７を介して行なうことで、台枠１０の縦桟９の後端面１６の傾斜の計測において、上下方向の長い距離で傾斜を計測することができるので、傾斜の計測環境が平準化されて計測誤差が解消される。
また、前述で台枠１０の縦桟９に装着された傾斜計測機器１７および基準棹４７は、台枠１０の取替えにおいてもバネ部材３４を弾機作用に抗して簡易に外すことができる。
【００２７】  図１２乃至、図１４は、装着器具１８の他の実施例を示し、５０は平面コ型の取り付け部材であり、取り付け部５１と直交向きに支持部５２と支承部５３とを相対して一体で形成している。
支持部５２および取り付け部５１は、傾斜計測機器１７の外側面３７と後端部３８に夫々係合して、取り付け部５１の止着穴５４を介してネジ５５で傾斜計測機器１７に止着している。
台枠１０の傾斜の計測において、台枠１０の縦桟９の後端面１６に傾斜計測機器１７の傾斜計測の基準面１９を当接した状態で、取り付け部材５０の支持部５２は縦桟９の外側面５６に係合し、他方、支承部５３は縦桟９の内側面５７と間隔的に相対している。
５８は、支承部５３の外方に径大な掛止部５９を形成するとともに、また、支承部５３の軸穴６０を挿通してこの先端部に押圧板６１を固着した支軸を示し、一方、この支軸５８は支承板５３と押圧板６１との間隙にコイルスプリング等の弾機部材６２が装着されている。
前記の装着器具１８を止着した傾斜計測機器１７を、台枠１０の縦桟９に装着すると、台枠１０の縦桟９の内側面５７に相対した前記押圧板６１が、弾機部材６２の弾機作用によって縦桟９の内側面５７を弾機的に押圧して、一方、傾斜計測機器１７の傾斜計測の基準面１９が、台枠１０の縦桟９の後端面１６に加圧当接することで、当該傾斜計測機器１７はこの加圧当接が維持された状態で台枠１０に堅固に装着される。
また、図１３に鎖線で示したように、台枠１０の縦桟９の巾が基準の巾より狭い場合においても、弾機部材６２の弾機能力を適合できるようにすることで、押圧板６１が弾機部材６２の弾機作用によって縦桟９の内側面５７を弾機的に押圧して、傾斜計測機器１７は前記同様にして台枠１０に装着される。
図１４は、傾斜計測機器１７に規準棹４７を止着した実施例を示し、この規準棹４７は、前記図１１と同様にしてネジ穴４８を介してネジ４９で傾斜計測機器１７に止着され、当該装着器具１８で前記同様にして台枠１０の縦桟９に装着される。
また、基準棹４７を台枠１０の縦桟９に装着するにあたり、図１４に破線で示したように、基準棹４７を止着した傾斜計測機器１７自体に、装着器具１８を取り付け台枠１０に装着するようにしてもよい。
また、前述の傾斜計測機器１７の装着を解除するには、支軸５８の掛止部５９を取り付け部材５０の支承部５３の外側方向に牽引することで、他方、押圧板６１の押圧が解除されて傾斜計測機器１７を外すことができる。
【００２８】  図１５乃至、図１８は、装着器具１８の他の実施例を示している。
６３は、平板６７とＬ型の曲折板６８とを溶接等で固着した取り付け部材を示し、平板６７は前方を上記支持部６４とし、この後方を支承部６５とし、他方、曲折板６８は平板６７と直交した両側に止着穴６９を穿設した枢支部６６を形成している。
７０は、挟持板を示し、中央部の両測を立ち上げて回転支点部７１を形成するとともに、回転支点部７１の前方を押圧部７２とし、他方、後方を把持部７３としている。
上記取り付け部材６３は、曲折板６８の止着穴６９を介してネジ７４で傾斜計測機器１７の後端部３８に止着し、他方、挟持板７０は、この回転支点部７１を曲折板６８の枢支部６６に係合し、双方の軸穴６９、７５に係止ピン７６を挿通して、傾斜計測機器１７の後端部３８に回転自在として取り付けられるとともに、挟持板７０の押圧部７２は取り付け部材６３の支持部６４と、他方、把持部７３は取り付け部材６３の支承部６５と相対する。
上記係止ピン７６にトーションバネなどの弾機部材７７を装着し、この弾機部材７７の一端を曲折板６８に、他方、他端を挟持板７０の把持部７３に掛止することで、当該挟持板７０の押圧部７２は取り付け部材６３の支持部６４を弾機的に押圧する。
また、前記傾斜計測機器１７で台枠１０の傾斜を計測するにあたり、図１５では傾斜計測機器１７に規準棹４７を止着して、当該規準棹４７を台枠１０に装着して傾斜を計測する実施例を示しているが、傾斜計測機器１７を単体で台枠１０に装着して台枠１０の傾斜を計測することも前述と同様とする。
また、傾斜計測機器１７もしくは当該傾斜計測機器１７を止着した規準棹４７を台枠１０に装着するには、挟持板７０の押圧部７２を外側に開いて、傾斜計測機器１７もしくは規準棹４７の傾斜の基準面１９を台枠１０の縦桟９の後端面１６に加圧当接し、他方、挟持板７０の押圧部７２が縦桟９の内側面５７を弾機部材７７で弾機的に押圧して、前記のように傾斜計測機器１７もしくは規準棹４７の傾斜の基準面１９が台枠１０の縦桟９の後端面１６に加圧当接した状態で、傾斜計測機器１７もしくは規準棹４７を台枠１０に堅固に装着して台枠１０の傾斜を計測する。
図１８は、装着器具１８の他の実施例を示し、取り付け部材６３の把持部６５の内側面と、他方、挟持板７０の把持部７３の内側面に係止突起８０を相対して形成し、この双方の係止突起８０にコイルスプリングなどの弾機部材７７ａを装着することで、挟持板７０の押圧部７２は前記実施例と同様にして、傾斜計測機器１７を台枠１０に装着することができる。
上記の装着器具１８は、図１６に破線で示したように、台枠１０の縦桟９の巾が基準の巾より狭い場合においても、弾機部材７７、７７ａの弾機能力を適合できるようにすることで、押圧部７２が弾機部材７７，７７ａの弾機作用によって縦桟９の内側面５７を弾機的に押圧して、傾斜計測機器１７は前記同様にして台枠１０に装着される。
また、図１５および図１６で示したように、基準棹４７を傾斜計測機器１７に止着して台枠１０の傾斜を計測する場合は、前述と同様にして基準棹４７を傾斜計測機器１７に止着し、また、前記同様にして基準棹４７に装着器具１８を止着して、基準棹４７における傾斜計測機器１７の上下方向の２箇所、もしくは、基準棹４７を止着した傾斜計測機器１７自体に装着器具１８を止着して、夫々を台枠１０に装着する。
【００２９】  図１９乃至、図２１は装着器具１８の他の実施例を示し、当該装着器具１８はバンド８１と、このバンド８１の両端に取り付けた、受け部８２と、弾機機構を備えたターンバックル８３とよりなるジョイント具８４とで構成し、受け部８２とターンバックル８３の取り付け部８５は、夫々リベット８６でバンド８１の両端に止着している。
受け部８２は、先端部を円弧状に曲げて掛止部８７を形成し、他方、ターンバックル８３の取り付け部８５は、レバー８８を形成した操作部８９に枢着し、この操作部８９の両外側には弾機板９０がピン９１で夫々枢着している。
前記弾機板９０は、後端にピン９２を止着した他方の弾機板９３の内側に配置し、双方の弾機板９０、９３にはスプリング９４を装着して、図１９で示したように夫々反する方向に弾機的に取り付けられている。
ターンバックル８３は上記の構成において、台枠１０の傾斜を計測するにあたり、台枠１０の後端面１６に計測機器１７の傾斜計測の規準面１９を当接して、台枠１０と傾斜計測機器１７をバンド８１で囲繞し、図２１で示したように、受け部８２の掛止部８７にターンバックル８３のピン９２を掛止して、図１９および図２０で示したように、レバー８８を倒伏して施錠することで、当該傾斜計測機器１７は台枠１０に弾機的に装着される。
上記のターンバックル８３はレバー８８の操作において、相対した弾機板９０、９３がスプリング９４を抗して外側方向に牽引され、他方、レバー８８が反転して取り付け部８５に相対した施錠状態において、弾機板９０、９３相互が内方向に牽引され、傾斜計測機器１７の傾斜計測の基準面１９が、台枠１０の縦桟９の後端面１６に弾機的に加圧押圧して傾斜計測機器１７を台枠１０に堅固に装着する。
一方、上記傾斜計測機器１７の装着を解除するには、レバー８８を前記と逆方向に反転して、受け部８２と、他方、ターンバックル８３のピン９２との掛止を外して施錠を解除する。
また、基準棹４７を、傾斜計測機器１７に止着して台枠１０の傾斜を計測する場合は、前述の実施例と同様にして、基準棹４７を傾斜計測機器１７に止着するとともに、前記基準棹４７に装着器具１８を取り付けて前述と同様にして台枠１０に装着する。
前記において、傾斜計測機器１７の傾斜の基準面１９が台枠１０の縦桟９の後端面１６に加圧当接した状態で台枠１０の傾斜が計測され、また、同様にして傾斜計測機器１７を止着した基準棹４７に当該装着器具１８を止着して、同様に台枠１０の傾斜を計測することができる。
【００３０】  図２２乃至、図２５は装着器具１８の他の実施例を示し、当該装着器具１８は、ゴム製などの伸縮性もしくは非伸縮性の布製のバンド９５と、このバンド９５の両端に取り付けた、受け部９６と差込み部９７よりなるジョイント具９８とで構成している。
バンド９５はこの両端を、受け部９６と差込部９７の双方に設けた取り付け窓９９に差し込み、受け部９６に取り付けたバンド９５の端部は縫製または熱圧着等で止着固定し、差込み部９７に取り付けたバンド９５の他方の端部は、差込み部９７の第２の取り付け窓１００を挿通してこの窓縁に形成した掛止溝で掛止される。
図２４で示したように、受け部９６には掛止部１０１が、他方、差込み部９７には掛止爪１０２を設け、受け部９６に差込み部９７を差し込むと、受け部９６の掛止部９７に差込み部９７の掛止爪１０２が掛止されて、受け部９６と差込み部９７とは連結され、他方、受け部９６の両側に穿設した窓１０３に臨む、掛止爪１０２を指で内側に押し入れることで上記連結が解除される。
台枠１０の傾斜を計測するにあたり、傾斜計測機器１７の傾斜計測の基準面１９を、台枠１０の縦桟９の後端面１６に当接した状態で、台枠１０と傾斜計測機器１７とをバンド９５で囲繞し、次いでバンド９５の両端のジョイント具９８を、上記のように緊締連結して傾斜計測機器１７を台枠１０に装着する。
前記バンド９５をゴムなどの伸縮性の材質とした場合は、この伸縮性によって、傾斜計測機器１７の傾斜計測の基準面１９は縦桟９の後端面１６に弾機的に加圧当接される。
また、バンド９５の材質を布や合成樹脂などの非伸縮性とした場合は、当該バンド９５で台枠１０と傾斜計測機器１７を囲繞してから、ジョイント具９８を介してバンド９５の端部を引き締めることで、バンド９５は窓１００の掛止溝で掛止めされ、且つ傾斜計測機器１７の傾斜計測の基準面１９が台枠１０の縦桟９の後端面１６に加圧当接した状態で傾斜計測機器１７が台枠１０に緊締装着される。
また、上記のバンド９５は、実施例では帯としているが紐状であっても同様な作用が営まれる。
また、図２３で示したように、前述と同様にして傾斜計測機器１７に基準棹４７を止着し、また同様にして装着器具１８で基準棹４７を台枠１０に装着して傾斜を計測することもでき、一方、図２３に破線で示したように、前述と同様にして基準棹４７を止着した傾斜計測機器１７自体を、当該装着器具１８で台枠１０に装着することもできる。
【符号の説明】
【００３１】１・・・パチンコ台
９・・・縦桟
１０・・・台枠
１５・・・後端部
１６・・・後端面
１７・・・傾斜計測機器
１８・・・装着器具
１９・・・傾斜計測の規準面
３３・・・係止部材
３４・・・弾機部材
３７・・・外側面
３８・・・後端部
４７・・・規準棹
５０・・・取り付け部材
５１・・・取り付け部
５２・・・支持部
５３・・・支承部
５６・・・外側面
５７・・・内側面
５８・・・支軸
５９・・・掛止部
６０・・・軸穴
６１・・・押圧板
６２・・・弾機部材
６３・・・取り付け部材
６４・・・支持部
６５・・・支承部
６６・・・枢支部
６９・・・軸穴
７０・・・挟持板
７１・・・回転支点部
７２・・・押圧部
７３・・・把持部
７５・・・軸穴
７６・・・係止ピン
７７、７７ａ・・・弾機部材
８１・・・バンド
８２・・・受け部
８３・・・ターンバックル
８４・・・ジョイント具
９５・・・バンド
９６・・・受け部
９７・・・差込み部
９８・・・ジョイント具
１０１・・・掛止部
１０２・・・掛止爪
【図１】
0006858233.tif 000002
【図２】
0006858233.tif 000003
【図３】
0006858233.tif 000004
【図４】
0006858233.tif 000005
【図５】
0006858233.tif 000006
【図６】
0006858233.tif 000007
【図７】
0006858233.tif 000008
【図８】
0006858233.tif 000009
【図９】
0006858233.tif 000010
【図１０】
0006858233.tif 000011
【図１１】
0006858233.tif 000012
【図１２】
0006858233.tif 000013
【図１３】
0006858233.tif 000014
【図１４】
0006858233.tif 000015
【図１５】
0006858233.tif 000016
【図１６】
0006858233.tif 000017
【図１７】
0006858233.tif 000018
【図１８】
0006858233.tif 000019
【図１９】
0006858233.tif 000020
【図２０】
0006858233.tif 000021
【図２１】
0006858233.tif 000022
【図２２】
0006858233.tif 000023
【図２３】
0006858233.tif 000024
【図２４】
0006858233.tif 000025
【図２５】
0006858233.tif 000026